(57)【要約】      （修正有）【課題】耐変形に優れた矩形缶構造を提供する。【解決手段】缶体が、頂面１０と底面２０及びそれらの間に結合された矩形缶筒から構成され、上記缶筒の四端面に、ともに、面板３１が形成され、面板３１同士の間に、円弧に湾曲された円弧角部３２が設けられる。上記円弧角部３２において、間隔的に、中央に位置する三本の第一凹溝３２１と、両側に位置する二本の第二凹溝３２２とが形成される。上記第一凹溝３２１と第二凹溝３２２との間に、平坦面によって連結され、円弧角部３２の上記第一、第二凹溝により、缶筒の構造強度が向上し、耐圧や耐変形能力が強化される。【選択図】図１
0003186735.tif 000002
【実用新案登録請求の範囲】
【請求項１】
缶体が、頂面と底面及びそれらの間に連結された矩形缶筒から構成され、上記缶筒の四端面に、ともに、面板が形成され、また、面板同士の間に、ともに、円弧に湾曲された円弧角部が設けられ、また、上記円弧角部において、間隔的に、中央に位置する三本の第一凹溝と、両側に位置する二本の第二凹溝とが形成され、そして、上記第一凹溝と第二凹溝との間に、平坦面によって連結され、円弧角部の第一凹溝及び第二凹溝により、缶筒の構造強度が向上し、耐圧及び耐変形能力が強化されることを特徴とする矩形缶構造。
【請求項２】
上記面板において、周りに、突出リングが形成され、上記突出リングにおいて、隣り合う頂面と底面との間に、ともに、強化リブが形成されることを特徴とする請求項１に記載の矩形缶構造。
【請求項３】
上記第二凹溝の円弧円心と円弧中点とを連結して、ダミー投影線が形成され、また、上記の同一の円弧角部において、二つの第二凹溝のダミー投影線が互いに垂直になることを特徴とする請求項１に記載の矩形缶構造。
【請求項４】
上記平坦面の幅が、二つの第一凹溝同士の間隔よりも大きいことを特徴とする請求項１に記載の矩形缶構造。
【請求項５】
上記第一凹溝及び第二凹溝が、ともに、頂面と底面とに連結するように、平行的に配列されることを特徴とする請求項１に記載の矩形缶構造。
【請求項６】
上記第一凹溝及び第二凹溝が、ともに、頂面と底面とに連結しないように、平行的に配列されることを特徴とする請求項１に記載の矩形缶構造。
【考案の詳細な説明】
【技術分野】
【０００１】
本考案は、缶体構造に関するものであり、さらに詳しくは、耐変形性が向上し、積み重ねに耐え得る矩形缶構造に関するものである。
【背景技術】
【０００２】
矩形缶体は、よく油状液体を収納することに使用され、一般生活において、極く普通なものである。従来の缶筒構造は、図７のように、筒体６０があり、筒体６０の上方に、油穴６１が設けられてある。また、グリップ６２があり、筒体６０の周辺に、横方向に、凹みや突出の強化槽６３が形成され、そして、従来の筒体６０の周辺に、枠形式の凹凸の強化面６４が形成され、筒体６０に、強化槽６３と強化面６４が形成されるが、筒体６０を積み重ねて運送する時、筒体６０を畳むため、負荷がかかり、この時、横方向の強化槽６３の設計により、筒体６０が、負荷により、下方へ屈曲する状態となる。また、上記筒体６０の角部６５には、何ら強化構造が形成されていないから、角部６５において、容易に変形が生じる欠点が残されている。高く積み重ねた筒体６０が、下方へ倒れる恐れがあるため、筒体６０の構造強度を強化する必要がある。従って、筒体６０の厚さを増大しなければならなく、材料コスト上昇を招くなどの問題がある。
【０００３】
缶体の構造については各種の提案があり、例えば、特開２００６−３２１５０００号公報（以下、「特許文献１」という。）には、蓋体の周縁部を缶胴体のフランジの形成された開放端部にシール材を挟み込んで巻締めることにより形成された巻締め部を有する缶体が記載されている。しかし、特許文献１には缶胴体の耐変形性の改善については開示されていない。
【特許文献１】特開２００６−３２１５０００号公報
【考案の概要】
【考案が解決しようとする課題】
【０００４】
本考案の第一の課題は、耐変形性が改善された矩形缶構造を提供することにある。
【０００５】
本考案の第二の課題は、面板の耐変形性の改善された矩形缶構造を提供することにある。
【０００６】
本考案の第三の課題は、缶筒の耐変形性の改善された矩形缶構造を提供することにある。
【０００７】
本考案の第四の課題は、構造が強化され、缶筒の厚さを低下させた矩形缶構造を提供することにある。
【課題を解決するための手段】
【０００８】
そこで、本考案者は、上記の各課題を解決するため鋭意検討を重ねた結果、下記の通り各課題を解決することができる各手段に着目した。
【０００９】
本考案の第一の課題に対しては、矩形缶体の、上記缶筒の円弧角部に、三本の第一凹溝と二本の第二凹溝とが、形成され、上記第一凹溝及び第二凹溝に、ともに、頂面から底面まで、平行的に配列させたものである。第一凹溝及び第二凹溝により、缶筒の構造強度が強化されて、耐圧や耐変形能力を向上させることができる。
【００１０】
本考案の第二の課題に対しては、上記第一凹溝及び第二凹溝の間に、平坦面によって連結され、上記平坦面の幅が、二つの凹槽同士の間隔よりも大きくした点にあり、面板に対して、円弧角部の相対割合が大きくしたものである。これにより、面板の面積が縮小し、また、円弧角部の第一凹溝及び第二凹溝の構造強度が、面板より高いため、有効に、面板が、力を受けて変形する可能性が低減する。
【００１１】
本考案の第三の課題に対しては、上記平坦面により、第二凹溝と第一凹溝との間において、適当な幅の間隔が保持され、また、上記第二凹溝の円弧円心と円弧中点とを連結して、ダミー投影線が形成され、そして、上記の同一の円弧角部において、二つの第二凹溝のダミー投影線が互いに垂直になることに構成したことにある。これにより、第一凹溝及び第二凹溝の間において、プレス過程に、互いに引き合うことを防止でき、そのため、缶筒の変形が防止されて、大幅に、缶筒加工の歩留まりが向上する。
【００１２】
本考案の第四の課題に対しては、上記円弧角部において、三本の第一凹溝と二本の第二凹溝とが形成され、上記第一、第二凹溝が、ともに、頂面から底面まで、平行に配列するように構成した点にある。そのため、缶体の第一、第二凹溝により、構造強度が強化され、缶体に対して、更に、缶筒の厚さを低下させることができ、材料の節約効果が得られる。
【００１３】
かくして、請求項１の考案によれば、缶体が、頂面と底面及びそれらの間に連結された矩形缶筒から構成され、上記缶筒の四端面に、ともに、面板が形成され、また、面板同士の間に、ともに、円弧に湾曲された円弧角部が設けられ、また、上記円弧角部において、間隔的に、中央に位置する三本の第一凹溝と、両側に位置する二本の第二凹溝とが形成され、そして、上記第一凹溝と第二凹溝との間に、平坦面によって連結され、円弧角部の第一凹溝及び第二凹溝により、缶筒の構造強度が向上し、耐圧及び耐変形能力が強化されることを特徴とする矩形缶構造が提供される。
【００１４】
請求項２の考案によれば、上記面板において、周りに、突出リングが形成され、上記突出リングにおいて、隣り合う頂面と底面との間に、ともに、強化リブが形成されることを特徴とする請求項１に記載の矩形缶構造が提供される。
【００１５】
請求項３の考案によれば、上記第二凹溝の円弧円心と円弧中点とを連結して、ダミー投影線が形成され、上記の同一の円弧角部において、二つの第二凹溝のダミー投影線が互いに垂直的になることを特徴とする請求項１に記載の矩形缶構造が提供される。
【００１６】
請求項４の考案によれば、上記平坦面の幅が、二つの第一凹溝同士の間隔よりも大きいことを特徴とする請求項１に記載の矩形缶構造が提供される。
【００１７】
請求項５の考案によれば、上記第一、第二凹溝が、ともに、頂面と底面とに連結するように、平行的に配列されることを特徴とする請求項１に記載の矩形缶構造が提供される。
【００１８】
請求項６の考案によれば、上記第一、第二凹溝が、ともに、頂面と底面とに連結しないように、平行的に配列されることを特徴とする請求項１に記載の矩形缶構造である。
【考案の効果】
【００１９】
本考案は、前記の通りの構成からなり、各課題に対する効果については前記した通りであり、耐変形性の点において著しく顕著な効果を奏するものである。
【考案を実施するための最良の形態】
【００２０】
以下、図面を参照しながら、本考案の特徴や技術内容について、詳しく説明するが、それらの図面等は、参考や説明のためのものであり、本考案は、それらによって限定されるものではない。
【００２１】
図１乃至図３のように、本考案に係る矩形缶構造の特徴は、缶体１００が、頂面１０と底面２０及びそれらの間に結合された矩形缶筒３０から構成される。上記缶筒３０の四端面に、ともに、面板３１が形成され、また、面板３１の周りに、突出リング３１１が形成され、上記突出リング３１１において、隣り合う頂面１０と底面２０との間に、ともに、強化リブ３１２が形成される。また、上記面板３１同士の間に、ともに、円弧に湾曲された円弧角部３２が設けられ、そして、円弧角部３２において、間隔的に、中央に位置する三本の第一凹溝３２１と、両側に位置する二本の第二凹溝３２２とが形成され、そして、上記第一、第二凹溝３２１、３２２が、ともに、頂面１０と底面２０に連結するように、平行に配列され、或いは、上記第一、第二凹溝３２１、３２２が、ともに、頂面１０と底面２０に連結していないように、平行に配列され（図６のように）、また、上記第一凹溝３２１と第二凹溝３２２との間に、平坦面３２３があり、上記平坦面３２３の幅が、二つの第一凹溝３２１の間隔よりも大きく、また、上記第二凹溝３２２の円弧円心と円弧中点とを連接してダミー投影線Ｌ１、Ｌ２が形成される。また、上記の同一の円弧角部３２において、二つの第二凹溝３２２ののダミー投影線Ｌ１、Ｌ２が互いに垂直になり、円弧角部３２の第一、第二凹溝３２１、３２２により、缶筒３０の構造強度が強化され、耐圧や耐変形能力が向上する。
【００２２】
缶体１００を製造する過程は、図１と図３及び図４のように、缶筒ダイが、内側ダイ４０と、八つの方向にリング状に設置された外側ダイ５０から構成される。図４において、その一つだけの弧角が示され、缶筒３０に、頂面１０と底面２０とが結合されていない状態で、缶筒３０が、直接に、内側ダイ４０と外側ダイ５０との間に嵌設され、内側ダイ４０と外側ダイ５０との押さえ合いにより、同時に、面板３１の突出リング３１１と円弧角部３２の第一、第二凹溝３２１、３２２とが成型され、上記外側ダイ５０に、円弧角部３２を形成する角部スタンパー５１と、面板３１を形成する面スタンパー５２とが、備えられる。また、上記角部スタンパー５１と面スタンパー５２に、ともに、突出リブ５１１、５２１が形成され、角部スタンパー５１の突出リブ５１１により、缶筒３０がプレスされて第一凹溝３２１が形成され、また、面スタンパー５２の突出リブ５２１により、缶筒３０がプレスされて第二凹溝３２２が形成され、これにより、缶筒３０の円弧角部３２に対して、三本の第一凹溝３２１と二本の第二凹溝３２２とが形成される。また、第二凹溝３２２と第一凹溝３２１とが、平坦面３２３によって連結され、具体的に、上記平坦面３２３により、第二凹溝３２２と第一凹溝３２１とは、適当な幅を有する間隔が得られ、また、上記第二凹溝３２２の円弧円心と円弧中点とを連接してダミー投影線Ｌ１、Ｌ２が形成される。また、上記の同一の円弧角部３２において、二つの第二凹溝３２２のダミー投影線Ｌ１、Ｌ２が、互いに垂直になり、そのため、第一、第二凹溝３２１、３２２の間に、プレス過程において、互いに引き合う現象を解消でき、そして、缶筒３０の変形を防止でき、缶筒３０の加工歩留まりが、大幅に、向上する。
【００２３】
本考案によれば、図１と図３及び図５のように、上記缶筒３０の円弧角部３２に、三本の第一凹溝３２１と二本の第二凹溝３２２とが、形成される。また、上記第一、第二凹溝３２１、３２２は、ともに、頂面１０から底面２０までに、平行に配列され、第一、第二凹溝３２１、３２２により、缶筒３０の耐変形能力が向上する。そのため、缶体１００の堆積能力が強化され、また、上記第一、第二凹溝３２１、３２２の間に、平坦面３２３が形成され、上記平坦面３２３の幅が、二つの第一凹溝３２１の間隔より大きくなり、これにより、面板３１に対して、円弧角部３２の相対割合が大きくなる。そのため、面板３１の面積が縮小され、また、円弧角部３２の第一、第二凹溝３２１、３２２の構造強度が、面板３１より高いから、有効的に、面板３１が、力による変形の可能性が低減する。それから、缶体１００の第一、第二凹溝３２１、３２２により、構造強度が強化される効果が得られ、缶体１００は、更に、缶筒３０の厚さを低減することができ、材料の節約効果が得られる。
【００２４】
以上は、本考案のより良い実施例であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２５】
【図１】本考案の一実施形態による矩形缶体の斜視図である。
【図２】本考案の一実施形態による矩形缶体の断面図である。
【図３】本考案の図２の部分拡大図である。
【図４】本考案の一実施形態による矩形缶体の製造過程の概念図である。
【図５】本考案の第一凹溝及び第二凹溝の角度の概念図である。
【図６】本考案の一実施形態による矩形缶体の斜視図である。
【図７】従来の矩形缶体の斜視図である。
【符号の説明】
【００２６】
本考案
Ｌ１、Ｌ２  ダミー投影線
１０  頂面
１００  缶体
２０  底面
３０  缶筒
３１  面板
３１１  突出リング
３１２  強化リブ
３２  円弧角部
３２１  第一凹溝
３２２  第二凹溝
３２３  平坦面
４０  内側ダイ
５０  外側ダイ
５１  角部スタンパー
５２  面スタンパー
５１１、５２１  突出リブ
従来
６０  筒体
６１  油穴
６２  グリップ
６３  強化槽
６４  強化面
６５  角部
【図１】
0003186735.tif 000003
【図２】
0003186735.tif 000004
【図３】
0003186735.tif 000005
【図４】
0003186735.tif 000006
【図５】
0003186735.tif 000007
【図６】
0003186735.tif 000008
【図７】
0003186735.tif 000009